(57)【要約】 【課題】  日本独特の優美で華麗な美しさを醸し出す造花及びその造花が含まれている造花装飾体を提供すること。【解決手段】  造花及び造花装飾体を構成する花弁や葉は、日本独特の優美で華麗な美しさを醸し出すのに好適なもみ和紙などの紙材料、縮緬などの布材料、合成皮革などのレザー材料などの造花素材の同一材料或いは異なる材料の内の２以上の適宜な組み合わせとし、使用される造花素材は、適宜の色に着色されている造花素材を予め防水加工を施してから使用した。さらに、造花及び造花装飾体への加工、組合せ時にも、さらに適宜の防水加工やほつれ防止加工や両面貼り合わせや結束や刺繍及び装飾なども行った。【選択図】  図７
2014181428.tif 000002
【特許請求の範囲】
【請求項１】
花芯や萼や花弁や蕾や葉及び茎の造花構成部材が、もみ和紙や天狗和紙や柄和紙や雲竜和紙や落水和紙や半紙和紙の紙材料又は紬や縮緬や絹や綸子やお召や紋りや塩瀬や絣や上布や羽二重や絽や友禅や小紋の布材料又は合成皮革や人工皮革のレザー材料の造花素材からなる造花において、花弁や葉が紙材料又は布材料又はレザー材料の同一材料或いは異なる材料の内の２以上の異素材の組み合わせで構成されていることを特徴とする造花及びその造花が含まれている造花装飾体。
【請求項２】
前記造花素材が予め花芯や萼や花弁や蕾や葉及び茎の造花構成部材に模した適宜の色に染色、着色されていて、表面が防水加工されていることを特徴とする請求項１記載の造花及びその造花が含まれている造花装飾体。
【請求項３】
前記花芯や萼や花弁や蕾や葉及び茎の造花構成部材への加工、組み合わせ及び仕上げが綿花や紙巻針金や接着剤による貼り付けや巻き付け結束、糸や接着剤による刺繍、磁石による両面貼り合わせ、テープや接着剤による結束及び金粉や銀粉や紐付きタッセル房飾りやリボンやパールや組紐や紙紐や磁石や接着剤による装飾で立体感を増したことを特徴とする請求項１又は２記載の造花及びその造花が含まれている造花装飾体。
【請求項４】
花芯や萼や花弁や蕾や葉や茎の造花構成部材に模して裁断された前記造花素材が造花構成部材への加工、組み合わせ及び仕上げ時に、適宜防水や型崩れ防止やほつれ防止の処理がされることを特徴とする請求項１又は２又は３記載の造花及びその造花がふくまれている造花装飾体。
【請求項５】
花芯や萼や花弁や蕾や葉や茎の造花構成部材に模して裁断されて加工、組み合わせ及び、仕上げた造花構成部材が、造花への加工、組み合わせ及び仕上げ時に、適宜防水や型崩れ防止やほつれ防止の処理を１回以上されることを特徴とする請求項１又は２又は３又は４記載の造花及びその造花が含まれている造花装飾体。
【発明の詳細な説明】
【技術分野】
【０００１】
本発明は、和紙などの紙材料や縮緬などの布材料や合成皮革などのレザー材料等の造花素材を適宜組み合わせて花弁、萼、花芯、蕾、葉および茎などを模って日本独特の優美で華麗な美しさを醸し出す造花およびその造花が含まれている造花装飾体に関する。
【背景技術】
【０００２】
従来の造花及びその造花が含まれている造花装飾体としては、まずポリエステルなどのプラスチックの成型品を組合せたものなどが知られているが、色彩や形状が限定されて個性が乏しく、美観に劣っていた。
【０００３】
つぎに、紙材料や布材料を造花素材として、花弁や萼や蕾や葉の形状に裁断して、染色や着色し、花弁や葉の風合いを良くするために蝋などを塗布して、所望の構造に組合せて造花及びその造花が含まれている造花装飾体を形成することも行われていた。
【０００４】
しかしながら、蝋などを塗布した造花素材は、風合いはかなり改善されるが、硬くなって花弁や葉を曲げると折れることもあり、また長時間放置すると劣化して、ひび割れたり白化したりすることもあった。
【０００５】
さらに、紙材料又は布材料を造花素材にして、所望の色に着色し、フッソ樹脂液を塗布し、然る後に柔軟で透明な硬化性シリコーン樹脂液を塗布して硬化する提案もされている（例えば、特許文献１参照）。
【０００６】
なお、造花素材を着色する前に、アクリル樹脂溶液を塗布して乾燥させてから染色や着色以降の操作をする提案もされている。
【０００７】
しかしながら、和紙などの紙材料や縮緬などの布材料及び合成皮革などのレザー材料などは、そのまま或いは単に染めただけの使用では、日本独特の優美で華麗な美しさを醸し出すような形状に表現するのは難しく、無理に伸ばすと皺になったり、折れたり、周囲がほつれたり、切断されたりするという問題が残され対策としては不十分であった。
【０００８】
ポリエステルなどのプラスチックを素材とする造花及びその造花が含まれている造花装飾体は、花弁が潰れたり、型崩れしたり、花首が茎から取れたり、葉などは裏貼りした葉脈が硬くはがれ易いこともあった。
【先行技術文献】
【特許文献】
【０００９】
【特許文献１】特開平６−１４６１０４号公報
【発明の概要】
【発明が解決しようとする課題】
【００１０】
日本独特の優美で華麗な美しさを醸し出すのに好適なもみ和紙などの和紙材料や縮緬などの布材料および合成皮革や人工皮革などのレザー材料などの造花素材を用いて加工・組合せし、時間の経過と共に光や湿気などにより変色せず、変形することのない造花及びその造花が含まれている造花装飾体を提供すること。
【課題を解決するための手段】
【００１１】
上記課題を解決するために、本発明は、日本独特の優美で華麗な美しさを醸し出すために、予め花芯や萼や花弁や蕾や葉および茎などの造花構成部材に模した適宜の色に染色や着色されていて、表面が防水加工されている造花素材を、花芯や萼や花弁や蕾や葉および茎などの造花構成部材の形状に模して裁断し、加工、組み合わせて造花に仕上げる。
【００１２】
なお、防水加工については、フッソ樹脂、シリコーン樹脂、ボロン樹脂、イソプロピルアルコールやグリコールエステルやトルエンやアセトンなどの有機溶剤などの液体溶液に漬け込んだり或いは筆などで塗ったり或いはスプレーで吹き付けるなどいずれの方法でも本来の機能を発揮するものであれば特に限定されるものではない。
【００１３】
次に、紙素材や布素材による花弁や葉などの異素材或いは同素材の造花素材の組み合わせは紙巻針金やテープや接着剤などによる結束、綿花や紙巻針金や接着剤などによる貼り付け、針や糸や接着剤などによる刺繍、接着剤や磁石などによる両面貼り合わせ、金粉や銀粉やタッセル紐付き房飾りやリボンやパールや組紐や紙紐や接着剤などによる装飾及び指などで花弁などにカーブをつけるなどで立体感などを増して日本独特の優美で華麗な美しさを醸し出すように加工、組合せて立体的などを増した造花及びその造花が含まれる造花装飾体に仕上げる。
【００１４】
また、花芯や萼や花弁や蕾や葉や茎などの造花構成部材に模して裁断された造花素材が造花構成部材へと加工、組み合わせ、仕上げ時には、状況に応じて適宜防水や型崩れ防止やほつれ防止の処理を施すと効果的である。
【００１５】
さらに、花芯や萼や花弁や蕾や葉や茎などの造花構成部材に模して裁断されて加工、組み合わせ、造花仕上げ時にも、状況に応じて適宜防水や型崩れ防止やほつれ防止の処理を施すとより効果的である。
【００１６】
なお、ほつれ防止処理方法については、被処理体の大きさなどに応じて、例えば小さい被処理体であればナイロン・アルコールを主成分とするほつれ防止剤の吹き付けでもよく、また被処理体が大きい場合は色糸などによる刺繍が効果的であり、本来の機能を発揮するものであれば、特に限定されるものではない。
【発明の効果】
【００１７】
本発明は以上説明したように構成されているので、以下に記載されるような効果を奏する。
【００１８】
もみ和紙や天狗和紙や柄和紙や雲竜和紙や落水和紙や半紙和紙などの紙材料や、紬や縮緬や絹や綸子やお召や紋りや塩瀬や絣や上布や羽二重や絽や友禅や小紋などの布材料、及び合成皮革や人工皮革などのレザー材料からなる造花素材は花芯や萼や花弁や蕾や葉及び茎などを模って裁断される前に、予め適宜の色に染色や着色されていて、表面が防水処理されているので造花への加工、組合せ、仕上げなどが容易となる。
【００１９】
ついで、造花への加工、組合せは、紙巻針金やテープや接着剤などによる結束、綿花や紙巻針金や接着剤などによる貼り付け、針や糸や接着剤などによる刺繍、接着剤や磁石などによる両面貼り合わせ、指などで弁などにカーブをつけることなどで立体感などを増していて、さらに金粉や銀粉やタッセル紐付き房飾りやリボンやパールや組紐や紙紐や接着剤などによる装飾で日本独特の優美で華麗な美しさを醸し出すことが可能となった。
【００２０】
さらに、花芯や萼や花弁や蕾や葉及び茎などを模って裁断された造花素材は、造花構成部材や造花への加工、組合せ、仕上げ時に、状況に応じて適宜防水、型崩れ防止およびほつれ防止処理が施されているので、より効果的に立体的な造花として維持することも可能となる。
【図面の簡単な説明】
【００２１】
【図１】本発明の芍薬の花芯制作の一実施例を示す。
【図２】本発明の芍薬の萼制作の一実施例を示す。
【図３】本発明の芍薬の花弁制作の一実施例を示す。
【図４】本発明の芍薬の蕾制作の一実施例を示す。
【図５】本発明の芍薬の葉制作の一実施例を示す。
【図６】本発明の芍薬の一輪花の制作の一実施例を示す。
【図７】本発明の芍薬の一本花の制作の一実施例を示す。
【図８】本発明の椿などの造花が含まれている造花装飾体の髪飾りの一例を示す。
【図９】本発明の椿や桜や鉄線などの造花が含まれている造花装飾体の手まりブーケの一例を示す。
【図１０】本発明の桜などの造花が含まれている造花装飾体の扇形ブーケの一例を示す。
【図１１】本発明の芍薬や藤などの造花が含まれている造花装飾体の花屏風の一例を示す。
【図１２】本発明の芍薬などの造花が含まれている造花装飾体の花壁掛けの一例を示す。
【図１３】本発明の夏椿と鉄線などの造花が含まれている造花装飾体の花テーブルの一例を示す。
【発明を実施するための形態】
【００２２】
まず、花芯、萼、花弁、蕾、葉および茎などの造花構成部材が、もみ和紙などの紙材料又は縮緬などの布材料又合成皮革などのレザー材料などの造花素材からなる造花において、花弁や葉が紙材料又は布材料又はレザー材料の同一材料或いは異なる材料の内の２以上の異素材の組み合わせである構成とした。
【００２３】
２以上の異素材の組み合わせの好ましい例としては、異なる材料の紙材料のもみ和紙と布材料の縮緬及びレザー材料の合成皮革の組合せなどが効果的である。
【００２４】
また、紙材料又は布材料又はレザー材料の同一材料の異素材の組み合わせ例としては、もみ和紙と落水和紙などの紙材料同士や縮緬と綸子などの布材料同士や合成皮革と人工皮革などのレザー材料同士なども可能である。
【００２５】
つぎに、前記造花素材は予め花芯や萼や花弁や蕾や葉及び茎などの造花構成部材に模した適宜の色に染色や着色されていて、表面がフッソ樹脂、シリコーン樹脂、ボロン樹脂やイソプロピルアルコールやグリコールエステルやトルエンやアセトンなどの有機溶剤などにより防水加工されているものを、花芯や萼や花弁や蕾や葉及び茎などの造花構成部材の形状に模して裁断する。
【００２６】
そして、花芯や萼や花弁や蕾や葉及び茎などの造花構成部材に模して裁断された造花素材の造花構成部材への加工、組み合わせ及び仕上げは紙巻針金やテープや接着剤などによる結束、綿花や紙巻針金や接着剤などによる貼り付け、針や糸や接着剤による貼り付けや刺繍、接着剤や磁石などによる両面貼り合わせ、金粉や銀粉や紐付きタッセル房飾りやリボンやパールや組紐や紙紐や接着剤などによる装飾及び指などで花弁などにカーブをつけることなどで立体感を付与し日本独特の優美で華麗な美しさを醸し出す。
【００２７】
また、花芯や萼や花弁や蕾や葉及び茎などの造花構成部材に模して裁断された造花素材の造花構成部材への加工、組み合わせ及び仕上げは、状況に応じて適宜防水や型崩れ防止及びほつれ防止剤の吹き付けや刺繍などのほつれ防止処理などを施し日本独特の優美で華麗な美しさを醸し出す効果を高める。
【００２８】
さらに、花芯や萼や花弁や蕾や葉及び茎などの造花構成部材に模して裁断されて加工、組み合わせ及び仕上げた造花構成部材が、造花への加工、組み合わせ及び仕上げ時に、状況に応じて適宜に防水や型崩れ防止やほつれ防止剤の吹き付けや刺繍などのほつれ防止処理を１回以上施し、日本独特の優美で華麗な美しさを醸し出す効果をさらに高める。
【実施例】
【００２９】
本発明の実施の形態を図面に基づき更に詳細に説明する。実施例としては、様々な多くの制作工程が必要な芍薬の制作を例にして説明するが、以下の説明は一実施例であり、制作目的に合わして、あらゆる種類の花や大きさや形状及び制作数などは自在に対応することができるものである。
【００３０】
図１は本発明の芍薬の花芯制作の一実施例を示し、図２は本発明の芍薬の萼制作の一実施例を示し、図３は本発明の芍薬の花弁制作の一実施例を示し、図４は本発明の芍薬の蕾制作の一実施例を示し、図５は本発明の葉制作の一実施例を示し、図６は本発明の芍薬の一輪花制作の一実施例を示し、図７は本発明の芍薬の一本花の制作の一実施例を示し、図８は本発明の椿などの造花が含まれている造花装飾体の髪飾りの一例を示し、図９は本発明の椿や桜や鉄線などの造花が含まれている造花装飾体の手まりブーケの一例を示し、図１０は本発明の桜などの造花が含まれている造花装飾体の扇形ブーケの一例を示し、図１１は本発明の芍薬や藤などの造花が含まれている造花装飾体の花屏風の一例を示し、図１２は本発明の芍薬などの造花が含まれている造花装飾体の花壁掛けの一例を示し、図１３は本発明の夏椿と鉄線などの造花が含まれている造花装飾体の花テーブルの一例を示す。
【００３１】
図１は本発明の芍薬の花芯制作の一実施例で、図１（Ａ）、（Ｂ）及び（Ｃ）は花芯中心部の制作を示し、図１（Ｄ）は花芯構成体の制作を示し、図（Ｅ）は花芯基本体および花芯本体の制作を示す。
【００３２】
まず、予め花芯の色に模して適宜な色に染色や着色され、防水処理されたたもみ和紙や天狗紙などの紙材料の造花素材の円形カット体１の中心部に、先端を円形状にした適宜の紙巻針金２の円形部に接着剤を介して綿花３を貼りつけた花芯の土台となる花芯構成中心単体４を、接着剤を介して綿花３全体を包み込むように貼りつけ花芯の中心部材となる花芯構成単体５を制作し、該花芯構成単体５を適宜の紙巻針金６で３個束ねて花芯中心部７を制作する。
【００３３】
ついで、前記花芯中心部７に、従来通常に使用されているけし粒玉ペップ８を半分に折り曲げて、適宜の紙巻針金９でその中心で結束させた花芯構成体１０を適宜な個数、適宜の紙巻針金１１で結束し円形状に取り付け花芯１２を制作する。
【００３４】
さらに、前記花芯１２は美的効果を増すために、金粉１３や銀粉などをふりかけるとより効果的である。
【００３５】
図２は本発明の芍薬の萼制作の一実施例で、花用と蕾用の長萼と丸萼の制作例を示し、図２（Ａ）、（Ｂ）及び（Ｃ）は長萼の制作を示し、（Ｄ）は丸萼の形状を示し、（Ｅ）は長萼と丸萼の組合せの制作を示す。
【００３６】
なお、花用と蕾用の長萼及び花用と蕾用の丸萼は、各々大きさが異なるだけで、同じ工程で制作されるので、花用の長萼についてのみ示している。
【００３７】
花用の長萼は、予め花萼の色に模して適宜の色に染色や着色され、防水加工を施した縮緬などの布材料や、もみ和紙や天狗紙などの紙材料や、合成皮革などのレザー材料などの造花用素材を適宜の花用長萼形状に裁断し花用長萼表面１４を制作し、該花用長萼表面１４と同様に造花用素材を裁断しその中心部に縦状に茎部の長さを加えた適宜の紙巻針金１５を接着剤を介して貼り花用長萼裏面１６を制作する。
【００３８】
ついで、前記花用長萼表面１４と前記花用長萼裏面１６とを接着剤を介して表裏貼り合わしリバーシブルな構造の花用長萼体１７を制作する。
【００３９】
さらに、前記花用長萼体１７は外周部をナイロン・アルコールなどを主成分とするほつれ防止剤でほつれ防止加工１８し、さらに、フッソ樹脂やシリコーン樹脂およびボロン樹脂などからなる防水剤による防水加工なども施し花用長萼１９を制作する。
【００４０】
なお、蕾用長萼、花用丸萼２０および蕾用丸萼については、前記花用長萼１９と同様の方法で各々適宜の形状に裁断して、蕾用長萼、花用丸萼２０及び蕾用丸萼を制作する。
【００４１】
そして、花萼を制作する場合は、適宜の枚数の前記花用長萼１９と前記花用丸萼２０とを交互に接着剤などを介して貼り合わせ花萼２１を制作する。
【００４２】
なお、蕾萼を制作する場合は前記花萼２１と同様の方法で、蕾の大きさに合わした適宜の大きさの、適宜の枚数の蕾用長萼と蕾用丸萼とを交互に接着剤などを介して貼り合わせ蕾萼を制作する。
【００４３】
図３は本発明の芍薬の花弁制作の一実施例で、図３（Ａ）は表花弁用面を示し、図３（Ｂ）は裏花弁用面を示し、図３（Ｃ）は表花弁用面と裏花弁用面を貼り合わせて、ほつれ防止などの加工を施して仕上げた両面貼りのリバーシブルな構造の花弁の表面を示す。  
【００４４】
まず、表花弁面は、予め花弁の色に模して適宜の色に染色や着色され、防水加工を施した縮緬やもみ和紙などの造花用素材を花弁形状に裁断して表花弁用面２２を制作し、該表花弁用面２２に色彩的グラデーションをつけ立体感を出すことを目的として、該表花弁用面２２の下部に該表花弁用面２２より少し濃い色の縮緬やもみ和紙や落水紙や天狗紙などの造花用素材を適宜の形状に裁断して接着剤を介して貼りつけて表花弁用面下部２３とし、該表花弁用面２２の中心部２４と該中心部２４の左右の花弁脈部２５は美的効果や立体感をだすため、外周部２６などはほつれ防止などを目的として金糸や銀糸などの色糸２７で刺繍を施し表花弁面２８を制作する。
【００４５】
ついで、裏花弁面は、予め花弁の色に模して適宜の色に染色や着色され、防水加工を施したもみ和紙や天狗紙などの造花用素材を花弁形状に裁断した裏花弁用面２９を制作し、該裏花弁用面２９の全面部に接着剤をつけて、該裏花弁用面２９の中心部縦状と茎部を加えた長さの適宜の紙巻針金３０を貼り、該裏花弁用面２９全体が立体感を持つように適宜の場所に綿花３１を貼り裏花弁面３２とし、さらに、前記表花弁面２８と該裏花弁面３２を貼り合わせて両面貼りのリバーシブルな構造の花弁基体３３を制作する。
【００４６】
さらに、前記花弁基体３３は、花の優雅な優しさや立体感を出すためには、前記花弁基体３３の表面にカーブ３４を付けたり、金粉３５や銀粉をふりかけ、予め刺繍をしていない前記花弁基体３３は外周部にほつれ防止加工３６を施して補強して花弁３７を制作する。
【００４７】
図４は本発明の芍薬の蕾制作の一実施例で、図４（Ａ）、（Ｂ）、（Ｃ）及び（Ｄ）は芍薬の蕾芯体の制作を示し、図４（Ｅ）は芍薬の蕾本体及び芍薬の花弁付蕾本体の制作を示す。まず予め蕾の色に模して適宜の色に染色や着色され、防水加工を施した縮緬やもみ和紙などの造花用素材を円形に裁断し蕾土台円形体３８を制作し、該蕾土台円形体３８の中心を適宜紙巻針金３９で結ぶか、適宜の糸で縫って芍薬の蕾原体を制作する。
【００４８】
つぎに、先を楕円形にした適宜の紙巻針金４１の先の楕円形の回り部を接着剤を介して楕円形部全体を包み込むように綿花４２を貼り、その上に再度該蕾原体の中心を内側にして綿花４２を包み込むように貼り芍薬の蕾芯体４３を制作する。
【００４９】
そして、前記蕾芯体４３に芍薬の蕾用の長萼と丸萼の数枚を交互に接着剤を介して、前記花萼２１の制作と同様に、貼り合わせて、適宜の紙巻針金４４で結束し、本発明の造花用素材からなる茎布４５やフローラルテープなどで巻いて芍薬の蕾基部４６を制作する。
【００５０】
花弁付蕾基部の制作は、前記蕾芯体４３に芍薬の蕾用の小さい前記花弁３７を数枚接着剤を介して貼り、その上に該蕾基部４６と同様に前記花萼２１を適宜の紙巻針金４７などで結束して、その上を、前記蕾基部４６と同様に本発明の造花用素材からなる茎布４５やフローラルテープなどで巻いたり、接着剤などを介して貼り合わせて花弁付蕾基部４８を制作する。
【００５１】
前記蕾基部４６及び前記花弁付蕾基部４８は美的効果を増すために金粉４９や銀粉などをふりかけて芍薬の蕾５０及び芍薬の花弁付蕾５１を制作する。
【００５２】
図５は本発明の芍薬の葉制作の一実施例で、図５（Ａ）は芍薬の葉の表面の制作を示し、図５（Ｂ）は芍薬の葉の裏面の制作を示し、図５（Ｃ）は表面葉と裏面葉を貼り合わせたリバーシブルな、ほつれ防止加工を施した１枚葉を示し、図５（Ｄ）は１枚葉を３枚組み合わせた構造の３枚葉の表面を示し、図５（Ｅ）、（Ｆ）及び（Ｇ）は大きい１枚葉の制作を示す。
【００５３】
まず予め葉の色に模して適宜の色に染色や着色され、防水加工を施したもみ和紙などの紙材料や縮緬などの布材料や合成皮革などのレザー材料などの造花素材を芍薬の葉形に裁断して芍薬の表面葉原体５２を制作し、該表面葉原体５２が布材料の場合は中心縦状に金糸や銀糸などの色糸５３で刺繍し、該表面葉原体５２が紙材料やレザー材料の場合は刺繍をせずに金糸や銀糸などの色糸５３と接着剤を介して貼り付けて表面葉５４を制作する。
【００５４】
ついで、予め葉の色に模して適宜の色に染色や着色され、防水加工を施したもみ和紙や天狗紙などの紙材料の造花素材を芍薬の葉形に裁断して芍薬の裏面葉原体５５を制作し、該裏面葉原体５５の全面に接着剤を塗り、中心部縦状に該裏面葉原体５５と茎分を加えた長さの適宜の紙巻針金５６を貼り付けて裏面葉５７を制作する。
【００５５】
そして、前記表面葉５４と前記裏面葉５７を両面貼り合わせして、外周面をナイロン・アルコールなどを主成分とするほつれ防止剤でほつれ防止加工５８してリバーシブルな構造の１枚葉原体５９を制作し、美的効果を増すために金粉６０や銀粉などをふりかけて１枚葉６１を制作し、該１枚葉６１を、茎布などを介して３枚組み合わせて３枚葉６２を制作する。
【００５６】
また、大きい１枚葉は、まず前記表面葉５４と同様の方法で、適宜の大きさと形状の大きい１枚葉用の表面葉原体を制作して、該表面葉原体を前記表花弁面２８と同様の方法で色彩的なグラデーション６３を付けたり、葉の中心部やその左右の葉脈部や外周りに金糸や銀糸などの色糸６４で刺繍したりして大きい１枚葉用表面葉６５を制作する。
【００５７】
ついで、前記裏面葉５７と同様の方法で、適宜の大きさと形状の大きい１枚葉用裏面葉６６を制作する。
【００５８】
そして、前記大きい１枚葉用表面葉６５と前記大きい１枚葉用裏面葉６６とを接着剤などを介して両面貼り合わせしてリバーシブルな構造とし、前記花弁３７制作と同様に葉に指でカーブ６７を付け美的効果を増すために金粉６８などをふりかけて大きい１枚葉６９を制作する。
【００５９】
図６は本発明の芍薬の一輪花制作の一実施例で、図６（Ａ）は芍薬の一輪花上部の制作を示し、図６（Ｂ）は芍薬の一輪花の制作を示す。芍薬の一輪花の制作は、まず図１に示した方法で制作した前記花芯１２と図３に示した方法で制作した前記花弁３７のさまざまな大きさの花弁数枚とを接着剤を介して各々貼り付けて、適宜の紙巻針金７０で強固に取り付けて一輪花上部７１を制作する。
【００６０】
ついで、前記一輪花上部７１の花部の下部に、図２に示した方法で制作した前記花萼２１の前記花用長萼１９と前記花用丸萼２０を接着材を介して各々貼り付け、適宜の紙巻針金７２で巻き付けて取り付け一輪花７３を制作する。
【００６１】
図７は本発明の芍薬の一本花制作の一実施例で、図７（Ａ）は芍薬の一輪花への茎布巻き制作を示し、図７（Ｂ）は芍薬の一本花への仕上げの制作を示し、まず前記芍薬の一輪花７３に前記芍薬の１枚葉６１及び３枚葉６２を各々適宜の数を前記茎布４５を巻きながら、接着剤などを介して取り付けて、つぎに、前記芍薬の蕾５０と前記芍薬の花弁付蕾５１のどちらか或いは両方を前記茎布４５を巻きながら接着剤などを介して取り付けて、さらに前記大きい１枚葉６９を前記茎布４５を巻きながら接着剤などを介して取り付けて一本花である本発明の造花７４を制作する。
【００６２】
前記一本花７４は、制作後にも品質改良および品質保持などを目的にして防水、型崩れ防止およびほつれ防止などの処理を施すことが効果的である。
【００６３】
図８、図９及び図１０（Ａ）は、本発明の造花７４が含まれている造花装飾体の髪飾り７６、手まりブーケ７７及び扇形ブーケ７８などの、本発明の花弁や萼や花芯や蕾や葉および茎などを組合せ加工して制作した椿や桜や鉄線や芍薬などの本発明の造花７４を、紐付きタッセル房飾り７９やリボン８０やパール８１や組紐８２や紙紐８３や磁石８４や接着剤などと組合せ加工して制作した造花装飾体の一例を示し、図１０（Ｂ）は扇形ブーケの閉じた状態の一例を示し、図１０（Ｃ）は扇形ブーケの中心に磁石が利用された一例を示し、前記髪飾り７６、手まりブーケ７７及び扇形ブーケ７８などは、結婚式や卒業式や成人式や七五三などで、花嫁や装着者などが日本独特の優美で華麗な美しさを醸し出せるように表現することができる。
【００６４】
本発明の造花７４には、例えば、桜、鉄線、椿、藤などがあり、本発明の造花７４と磁石８４を組合せることにより、扇形ブーケ７８などでは、開いた扇の任意の表裏両面に本発明の造花を貼り合わせることも可能で、さらにより一層の日本独特の優美で華麗な美しさを醸し出す効果を実現できる。
【００６５】
また、図１１、図１２及び図１３も、本発明の造花７４が含まれている造花装飾体の花屏風８５、花壁飾り８６及び花テーブル８７などの、本発明の花弁や萼や花芯や蕾や葉及び茎などを組合せ加工して制作した芍薬や藤や鉄線や夏椿などの本発明の造花７４を、屏風や壁飾りやテーブルなどと組合せ加工して制作した造花装飾体であり、インテリア的装飾体としても同様に日本独特の優美で華麗な美しさ醸し出せるように表現することができる。
【産業上の利用可能性】
【００６６】
本発明の造花及び本発明の造花が含まれている造花装飾体は、今までは実現することができなかった日本独特の優美で華麗な美しさを醸し出すことを可能とした造花及び造花装飾体であるので、前述した髪飾り７６や手まりブーケ７７や扇形ブーケ７８などの装飾品分野や花屏風８５や花飾り８６や花テーブル８７などのインテリア装飾体分野のみに限定されることなく様々な分野に応用することも可能である。
【００６７】
本発明の造花及び本発明の造花が含まれている造花装飾体は、今までは実現できなかった日本独特の優美で華麗な美しさ醸し出すことを可能とした造花及び造花装飾体であり、本発明の造花及び本発明の造花が含まれている造花装飾体に接したあらゆる人々の方々に深い感動・感銘を感じていただけるものと思われる。
【符号の説明】
【００６８】
１  円形カット体
２  紙巻針金
３  綿花
４  花芯構成中心単体
５  花芯構成単体
６  紙巻針金
７  花芯中心部
８  けし粒玉ペップ
９  紙巻針金
１０  花芯構成体
１１  紙巻針金
１２  花芯
１３  金粉
１４  花用長萼表面
１５  紙巻針金
１６  花用長萼裏面
１７  花用長萼体
１８  ほつれ防止加工
１９  花用長萼
２０  花用丸萼
２１  花萼
２２  表花弁用面
２３  表弁用表面下部
２４  表花弁用面中心部
２５  花弁脈部
２６  表花弁用面外周部
２７  色糸
２８  表花弁面
２９  裏花弁用面
３０  紙巻針金
３１  綿花
３２  裏花弁面
３３  花弁基体
３４  カーブ
３５  金粉
３６  ほつれ防止加工
３７  花弁
３８  蕾土台用円形体
３９  紙巻針金
４１  紙巻針金
４２  綿花
４３  蕾芯体
４４  紙巻針金
４５  茎布
４６  蕾基部
４７  紙巻針金
４８  花弁付蕾基部
４９  金粉
５０  蕾
５１  花弁付蕾
５２  表面葉原体
５３  色糸
５４  表面葉
５５  裏面葉原体
５６  紙巻針金
５７  裏面葉
５８  ほつれ防止加工
５９  １枚葉原体
６０  金粉
６１  １枚葉
６２  ３枚葉
６３  色彩的なグラデーション
６４  色糸
６５  大きい１枚葉用表面葉
６６  大きい１枚葉用裏面葉
６７  カーブ
６８  金粉
６９  大きい１枚葉
７０  紙巻針金
７１  一輪花上部
７２  紙巻針金
７３  一輪花
７４  一本花
７４  本発明の造花
７６  髪飾り
７７  手まりブーケ
７８  扇形ブーケ
７９  紐付きタッセル房飾り
８０  リボン
８１  パール
８２  組紐
８３  紙紐
８４  磁石
８５  花屏風
８６  花壁飾り
８７  花テーブル
【図１】
2014181428.tif 000003
【図２】
2014181428.tif 000004
【図３】
2014181428.tif 000005
【図４】
2014181428.tif 000006
【図５】
2014181428.tif 000007
【図６】
2014181428.tif 000008
【図７】
2014181428.tif 000009
【図８】
2014181428.tif 000010
【図９】
2014181428.tif 000011
【図１０】
2014181428.tif 000012
【図１１】
2014181428.tif 000013
【図１２】
2014181428.tif 000014
【図１３】
2014181428.tif 000015
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
花芯や萼や花弁や蕾や葉及び茎の造花構成部材からなる造花において、該花弁がもみ和紙や天狗和紙や柄和紙や雲竜和紙や落水和紙や半紙和紙の和紙である紙材料と縮緬である布材料の異素材の２以上の組合せで構成され、該葉がもみ和紙や天狗和紙や柄和紙や雲竜和紙や落水和紙や半紙和紙の和紙である紙材料或いは縮緬である布材料或いは合成皮革や人工皮革であるレザー材料ともみ和紙や天狗和紙や柄和紙や雲竜和紙や落水和紙や半紙和紙の和紙である紙材料の異素材の２以上の組合せで構成されていることを特徴とする造花。
【請求項２】
前記花芯や萼や花弁や蕾や葉及び茎の造花構成部材からなる造花において、該花弁への加工、組合せ及び仕上げが綿花による立体感付与がされていることを特徴とする請求項１記載の造花。
【請求項３】
前記花芯や萼や花弁や蕾や葉及び茎の造花構成部材からなる造花において、該花弁と該葉への加工、組合せ及び仕上げが、防水や型崩れ防止やほつれ防止の処理を１回のみでなく複数回行うことにより、品質改良や品質保持効果を高めていることを特徴とする請求項１又は２記載の造花。
【請求項４】
前記請求項１から３のいずれかに記載の造花が含まれていることを特徴とする造花装飾体。